【手続補正書】
【提出日】平成17年4月28日(2005.4.28)
【手続補正１】
【補正対象書類名】明細書
【補正対象項目名】全文
【補正方法】変更
【補正の内容】
【書類名】            明細書
【発明の名称】        自社取扱い並行輸入商品の真正品確認方法
【特許請求の範囲】
【請求項１】  ブランド名や価格などが表示されて商品に付けるタグ等の商品表示体の任意の位置に、その商品の輸出元業者を示す表示および輸入時期を示す表示および前記輸出元業者が並行輸入業者に発行したインボイスに記載されている記号等の表示の中から選択した表示のうち、少なくとも一つの表示を、文字又は記号若しくは図形またはそれらの組合せによって肉眼により或は光-電気的読取り手段や磁気-電気的読取手段などの機械的読取手段で読取り可能に記録し、該記録を読取ることにより当該タグ等の商品表示体を備えた商品が真正品であるか否かの検証をすることを特徴とする並行輸入商品の真正品確認方法。
【請求項２】  並行輸入した真正品であることを検証するための記録は、輸出元業者の表示と輸入時期の表示を記録した請求項１の真正品確認方法。
【請求項３】  並行輸入した真正品であることを検証するための記録は、輸出元業者の表示とインボイスに記載された事項の表示を記録した請求項１の真正品確認方法。
【請求項４】  並行輸入した真正品であることを検証するための記録は、輸入時期の表示とインボイスに記載された事項の表示を記録した請求項１の真正品確認方法。
【請求項５】  並行輸入した真正品であることを立証するための記録は、輸出元業者の表示と輸入時期の表示とインボイスに記載された事項の表示を記録した請求項１の真正品確認方法。
【請求項６】  輸入時期の表示の記録は、輸出時期の表示の記録に代えるか、又は、輸出時期と輸入時期を併せて記録した請求項１〜５のいずれかの真正品確認方法。
【請求項７】  請求項１〜６の真正品確認のための記録は、肉眼では見えない手法により記録した請求項１〜６のいずれかの真正品確認方法。
【請求項８】  真正品確認のための記録は、輸入ロットや出荷ロットごとに、或は、一定期間ごとに、異なる内容の記録にする請求項１〜７のいずれかの真正品確認方法。
【請求項９】  並行輸入した商品の内部や裏など外部から見えにくい部位に、当該輸入商品の輸出元業者を示す表示および輸入時期を示す表示および前記輸出元業者が並行輸入業者に発行したインボイスに記載されている記号等の表示の中から選択した表示のうち、少なくとも前記インボイスに記載された事項の表示を含む表示を、文字又は記号若しくは図形、またはそれらの組合せによって肉眼により或は光-電気的読取り手段や磁気-電気的読取手段などの機械的読取手段で読取り可能に記録し、該記録を読取ることによりその記録を備えた商品が真正品であるか否かの検証をすることを特徴とする並行輸入商品の真正品確認方法。
【請求項10】  並行輸入した真正品であることを検証するための記録は、輸出元業者の表示とインボイスに記載された事項の表示を記録した請求項９の真正品確認方法。
【請求項11】  並行輸入した真正品であることを検証するための記録は、輸入時期の表示とインボイスに記載された事項の表示を記録した請求項９の真正品確認方法。
【請求項12】  並行輸入した真正品であることを検証するための記録は、輸出元業者の表示と輸入時期の表示とインボイスに記載された事項の表示を記録した請求項９の真正品確認方法。
【請求項13】  輸入時期の表示の記録は、輸出時期の表示の記録に代えるか、又は、輸出時期と輸入時期を併せて記録した請求項９〜12のいずれかの真正品確認方法。
【請求項14】  請求項９〜13の真正品確認のための記録は、肉眼では見えない手法により記録した請求項９〜13のいずれかの真正品確認方法。
【請求項15】  真正品確認のための記録は、輸入ロットや出荷ロットごとに、或は、一定期間ごとに、異なる内容の記録にする請求項９〜14のいずれかの真正品確認方法。
【発明の詳細な説明】
【０００１】
【発明の属する技術分野】
本発明は並行輸入商品、特に海外の著名ブランドに係る商品が真正商品（以下では真正品ともいう）であるか否かを容易にチェック（検証）でき、そのチェック結果によって自社取扱いで並行輸入した真正品であることを容易に立証するための真正品確認方法に関する。
【０００２】
【従来の技術】
海外で生産される著名ブランド商品、例えば、各種のバッグや財布等を始めとする身回り品や身飾り品，各種雑貨品，衣料品，化粧品などのいわゆる海外著名ブランド商品は、輸入国や第三国で偽物が製造，販売されることが頻繁に生じていることは勿論、当該著名ブランド商品の生産国においてもいわゆる偽物（デッドコピー商品）が製造され、これが真正商品と偽って輸入，販売されることが多々ある。このため当該著名ブランド商品のメーカや正規代理店や正規販売店は、多大な迷惑や損失などを被ることは勿論のこと、粗悪な偽物商品が市中に出回ることにより当該ブランド商品のメーカはエンドユーザーの信用をも失いかねないという憂慮すべき状況にあるのが現状である。
【０００３】
殊に、最近では偽物製造側の技術向上や使用する素材の選択眼などの向上により、小売業者を始めとする各流通業界などにおけるいわゆる目効きバイヤーであっても偽物商品を見抜けないことが多くなっており、海外で生産される著名ブランド商品が真正品なのか偽造品なのかという真贋を識別できないことによって、メーカーからエンドユーザーまでを巻込んだ様々なトラブルを惹起するに至っている。
【０００４】
著名ブランドの真正商品は、当該ブランド商品のメーカ直営店や正規代理店，正規販売店に行けば購入できるが、小売業者を始めとする各流通業界などでは海外での買付けを現地代理人（会社）に委託して並行輸入するケースが多いため、結果として当該流通業界におけるバイヤーでも識別できないレベルの偽物を輸入してしまうことがある。
【０００５】
上記のように海外で生産される著名ブランド商品は、並行輸入品として日本国内に輸入することが出来る。しかし、その並行輸入された真正商品が国内のマーケット、例えば小売店を始めとする各流通業界などの店頭に陳列されるとき、他のルートで輸入された同一ブランドの偽物と一緒に陳列されると、同一ブランドの真正商品と偽物商品とがそのショップの中で混在して陳列されて販売されることとなり、どの商品が自社から出庫した真正商品かを識別するのに多大な手間と時間がのかかってしまうという問題がある。
【０００６】
上記問題のほかに、他の業者が取扱った偽物商品がトラブル等によって真正商品の取扱業者に返品されたり、修理依頼が来たりして正常な取引形態を混乱させてしまうことも現に生じている。また、自社の並行輸入商品が真正品であるにも拘らず、消費者が販売店又は正当な並行輸入業者に対し陳列品や購入した商品が偽物ではないかとの疑念を持つ問題が生じたとき、真正品であることをその場で直ちに証明できる確固たる手段はないのが現状である。
【０００７】
【発明が解決しようとする課題】
そこで本発明では、上記のような混乱が生じる前には勿論のこと、混乱が生じた場合においても、その商品のタグ等の商品表示体に標された特別の商品表示を見たり判読したりすれば、当該商品が自社卸しに係る真正品であるか否かを直ちに識別することを可能にした真正品の確認方法を提供することを課題とするものである。
【０００８】
【課題を解決するための手段】
上記課題を解決することを目的としてなされた本発明確認方法の構成は、ブランド名や価格などが表示されて商品に付けるタグ等の商品表示体の任意の位置に、その商品の輸出元業者を示す表示および輸入時期を示す表示および前記輸出元業者が並行輸入業者に発行したインボイスに記載されている記号等の表示の中から選択した表示のうち、少少なくとも一つの表示を、文字又は記号若しくは図形またはそれらの組合せによって肉眼により或は光-電気的読取り手段や磁気-電気的読取手段などの機械的読取手段で読取り可能に記録し、該記録を読取ることにより当該タグ等の商品表示体を備えた商品が真正品であるか否かの検証をすることを特徴とするものである。
【０００９】
本発明に用いる商品表示体は、タグや正札などの典型的な札状，カード状形態の商品表示体のほか、紐状体，帯状体、或は、球状や柱状の立体物など、異形の商品表示体を用いる。また、前記の各商品表示体の材質は、紙，プラスチック，金属，木など、上記の各商品表示体に形成できるものであれば、材質は問わない。
【００１０】
本発明方法において、使用する商品表示体がタグや正札などの場合、その表示体は商品にタグファスナーにより並行輸入した商品に取付けられるが、本発明では同一ブランドの商品についてタグファスナーの色、或は、前記の色を含む形態を所定期間ごとに変更することにより、上記商品タグ等の表示による真正商品の確認機能を補完することができる。
【００１１】
また、本発明方法では、並行輸入した商品、例えば、バッグや財布などの内部や裏など外部から見えにくい部位に、当該輸入商品の輸出元業者を示す表示，輸入時期を示す表示，前記輸出元業者が輸入業者に発行したインボイスに記載されている記号等の表示の中から選択した表示のうち少なくとも前記インボイスに記載された事項の表示を含む表示を示す記録を、文字又は記号若しくは図形、またはそれらの組合せにより、肉眼で読取可能に、または光-電気的読取り手段や磁気-電気的読取手段などの機械読取り手段によって読取り可能な表示で記録することにより、この商品表示単独で、或は、前記の商品表示体と一緒に、当該商品が真正品であることを確認するための構成とすることもできる。
【００１２】
【発明の実施の形態】
次に、本発明による真正商品確認方法の実施形態例を、図示したタグを例にとって説明する。
【００１３】
図１は並行輸入した商品に取付けられるタグの一例を示した正面図である。一般的な商品タグは、それを付けるべき商品の大きさなどによって大きさや形状に多少の違いはあるものの、基本的には短冊状乃至それより短かい矩形状である。図１に例示したタグ１には、一例としてこのタグ１が付けられた商品が販売される店舗を示す記号等による店舗表示欄２、ブランド名（商標）そのもののブランド表示欄３，価格の表示欄４、当該商品の品番などの品番表示欄５，産出国（又は生産国）の表示欄６などの各商品表示の表示欄が、適宜の文字，記号等のロゴタイプや文字などを印刷等で記入して形成されている。なお、本発明方法を適用できる商品表示体は、例示したタグ１の場合、そのタグ自体の形状が図示した例のほか、表示内容についても、上記に列示したものに限られるものではない。
【００１４】
上記のタグ１の各表示欄２〜６は、このタグ１が付けられる商品が並行輸入した真正商品であっても偽物商品であっても、一見して違いを見出すことはできないほど、偽物商品に付けられるタグは、真正商品のタグの表示や形態などをデッドコピーした態様で作製されたものが殆んどである。このため、並行輸入した真正商品にタグが付けられた後は、商品自体によってもそれらの真贋の見分けが付けにくい上に、タグの表示でも見分けを付けることが困難であることにより、上述したような問題があるのである。
【００１５】
そこで本発明方法では、タグ１における上記の各商品表示欄２〜６に加え、その商品の輸入業者のみが識別できる固有の表示欄7a〜7cを形成し、そこに肉眼で読取り可能に表示するか、又は、光-電気的又は磁気-電気的などの読取り手段によって機械的読取りが可能に、固有の真正品確認のための表示乃至はその記録を設けることにより、このタグ１が付けられた輸入ブランド商品の真贋を、店頭においても直ちに判別できるようにしたので、以下、この点について説明する。
【００１６】
図１の本発明方法に用いるタグ１では、従来例の一つとして挙げた上記の各商品表示２〜６の表示に加え、本発明方法のための固有の表示欄7a〜7cを形成し、ここに固有の表示又は記録を施しておき、その商品の並行輸入業者が真正品であるか否かを、店頭においてでも直ちに確認できることを要旨とするものである。
【００１７】
上記の固有の表示欄7a〜7cにおいて、7aは輸出元業者を示す文字又は記号若しくは図形などによる表示欄、7bは輸入日（又は輸出日、或は、双方の日付）を示す文字又は記号若しくは図形などによる表示欄、7cは輸出元業者が並行輸入業者あてに発行したインボイスの記載事項の中から当該並行輸入業者が選択したそのインボイスに固有の表示を示す文字又は記号若しくは図形などによるインボイス内容の表示欄である。
【００１８】
本発明方法に用いるタグ１では、その固有表示欄7a〜7cに、すべて当該する内容を表示するほか、各表示欄7a〜7cの中の一つ、或は、二つの欄を組合せた表示欄の構成を採ることもある。また、各表示欄7a〜7cは、いずれも文字や記号のほか、図形やその図形と前記文字や記号との組合せなど、このタグ１を自己が並行輸入した商品に付ける輸入業者が肉眼で、或は、機械的手段で読取ることができる表示内容を記録したものであれば足りる。
【００１９】
従って、本発明に方法に用いるタグ１の固有表示欄7a〜7cの表示内容は、肉眼では見えないが、赤外光などの不可視光の照明によって読取りできる態様の表示や記録であってもよい。また、このタグ１の固有表示欄7a〜7cの部位を磁気記録部や光記録部に形成し、この記録部に上記表示欄7a〜7cの各表示内容を意味する磁気データや光データを書込むようにしてもよい。
【００２０】
以上に述べた本発明方法に用いるタグ１に形成する固有表示欄7a〜7c（このうちの少なくとも一つ又は２つを含む）の内容は、並行輸入した真正商品の、例えばバッグ，財布などの内部や底などのように外部から見え難い部位に表示部又は記録部（図示せず）を設け、その部に表示又は記録することにより、前記タグ１の固有表示欄7a〜7cの表示や記録と併せて、或は、単独で、当該商品が並行輸入された真正品であることを、その並行輸入業者が店頭などにおいてでも、容易かつ確実に確認でき、真正品であることを顧客等に立証することができる。
【００２１】
また、上述した本発明方法に用い係るタグ１では、真正商品の並行輸入のロットごとに上記の固有表示欄7a〜7cに表示或は記録される内容を変更するので、仮にも同一ブランドの偽物商品の取扱い業者が後から前記真正品のタグ１の固有表示欄7a〜7cの内容を模倣してその偽物商品にその模倣表示タグを付けても、固有表示欄7a〜7cの先の表示内容であった真正商品は既に完売して次の輸入ロットの真正商品の輸入データ（輸出業者，輸入日，インボイスのデータなど）に基づいて形成された固有表示欄7a〜7cの内容と異なるため、偽物商品をすぐに発見乃至は摘発できる一方、自己取扱いの並行輸入商品が真正品であることを容易に確認して、真正品の立証をすることが可能である。この点は、上記の固有表示欄7a〜7cを商品自体の内部など目に付きにくい部位に形成した場合においても同様である。
【００２２】
本発明方法においては、タグ等の商品表示体の表示に基づく上述の真正商品の確認機能或は証明機能を補完するため、タグ１を並行輸入商品に付けるためのタグファスナー８の色や型式を、同じモデルの海外ブランド商品に付ける際、例えば一定期間ごと、或は、輸入ロットごとに変更することを行う。このような手法を採れば、本発明方法におけるタグ１の固有表示欄7a〜7cによる真正品の確認のほか、タグファスナー８の色や型式によっても、当該商品の真贋を容易に判別できることとなる。図において。1aはタグ１のファスナー通し孔、8aはタグファスナー８のロック部である。
【００２３】
上述した本発明方法の一形態では、商品タグ等の商品表示体に設けた固有表示又は記録、或は、商品自体の目立ない部位へ形成した前記表示や記録によって、その場で直ちに真正品か否かの検証が可能であるから、本発明方法を適用した並行輸入品を並べた店頭では、一例として、「展示商品が真正商品であることをお客様の面前で証明することができます。」のような真正商品のアピールをパネル表示などにより掲示でき、顧客がいわゆる偽物を購入するおそれを事前に回避できる効果を得ることができる。
【００２４】
以上に説明した本発明方法を適用する並行輸入商品の流通の一態様と、本発明方法の適用態様の一例について図２により説明する。
【００２５】
日本国内の並行輸入業者12は、海外の正規の輸出業者11（真正品を輸出できる業者）から、いわゆる著名ブランド商品を並行輸入する。この輸入では輸出業者11のインボイスIvが輸入業者12に発行される。
【００２６】
輸入業者12は、並行輸入した真正品のタグや当該商品の内部などに、その商品が真正品であることの立証のために、インボイスIvの中の記号などを固有表示又は記録として施し（ステップS1）、当該真正商品を小売業者に出荷する（ステップS2）。小売業者は仕入れた真正品を他の輸入商品などと一緒に店頭に展示して販売する（ステップS3）。購入者13は店頭に展示された輸入商品の中から自分が欲しい品物を購入する。
【００２７】
上記の並行輸入商品の流通において、本発明では、ステップS1において形成した固有の表示又は記録のデータをその入力日時のデータなどに紐付けてコンピュータなどに残しておき、その業者が取扱った真正品の出荷段階，展示段階、或は、購入者の購入時又はその後の段階のいずれにおいても、先にステップS1で真正品に施した固有の表示又は記録が当該商品にあるかないかを、一例としてハンディリーダなどで読取り、読取ったデータを該ハンディリーダに取込んだ前記記録データと比較することにより読取データの商品が真正品であるか否かを判別する（ステップS4）。なお、上記の判別形態は一例であって、本発明方法はこの判別方式に限られるものではない。
【００２８】
【発明の効果】
本発明は以上の通りであって、並行輸入される海外生産の著名ブランド品が真正商品であることを、その輸入業者が容易に立証乃至証明するために、前記商品に付ける商品表示体の一例としてタグの任意の位置、及び／又は、当該商品自体の内部や裏側などの目立たない位置に、真正品確認のための固有表示部を形成し、該表示部に、前記商品の輸出元業者を示す表示，輸入時期を示す表示，前記輸出元が輸入業者に発行したインボイスに記載されている記号等の表示の中から選択した表示のうち少なくとも一つの表示を、文字又は記号若しくは図形、またはそれらの組合せにより、肉眼で読取可能または光-電気的読取り手段や磁気-電気的読取手段などの機械読取り手段によって読取可能に表示又は記録するから、この記録を判読することにより偽物に交じった自社取扱いの真正商品を容易かつ正確に確認，摘示することができ、従って、当該商品が並行輸入された真正商品であることを、店頭においては勿論、どこにおいてでも容易に立証することが可能になる。
【００２９】
特に、本発明方法では並行輸入業者に輸出元から発行されたインボイスに使用された記号などの固有の表示を表示又は記録することにより、当該表示又は記録の内容は自社以外の第三者は知る由もない、或は、全く理解できない内容であるから、当該表示又は記録を備えた並行輸入商品が真正品であることの確認，立証のために特に有用であるほか、偽物或は真正品かどうか不確かな商品に、第三者が本発明方法における商品表示を模倣することを効果的に防止する有効な手だてとなる。
【００３０】
更に、本発明方法では、真正品確認のための表示又は記録の内容を、同一の並行輸入商品であっても、例えば輸入ロットごと、又は、自社からの出荷ロットごと、或は、所定の期間ごとなどによって変更することにより、偽物商品取扱い業者の模倣，追従は凡そ不可能ともいえる真正品確認手法を提供することができる。
【図面の簡単な説明】
【図１】
本発明方法に使用するタグの正面図
【図２】
本発明方法を適用する並行輸入商品の流通態様を模式的に例示したフロー図
【符号の説明】
１    タグ
２    店舗を表示する表示欄
３    ブランド名を表示する表示欄
４    価格を表示する表示欄
５    商品の品番の表示欄
６    産出国（又は生産国）の表示
7a    輸出元業者を表示する表示欄
7b    輸入日を表示する表示欄
7c    輸出元業者が輸入業者あてに発行したインボイスに固有の表示を表示する表示欄
８    タグファスナー